(57)【特許請求の範囲】
【請求項１】
本体が密閉状態で液体が満たされている時に、液体が排出される、最下部に設置してある液体排出穴と、
前記液体排出穴から液体が排出されるのと同時に外部より気体が入り込む、中層部に設置してある気体取り入れ穴と、
中層部の前記気体取り入れ穴より入り込む気体を留める本体内部に設置してある内部移動容器と、前記内部移動容器下部の細かい穴より気体が入った分だけ液体が前記本体内部へ押し出させる事で前記内部移動容器に発生する浮力により、前記内部移動容器を上昇させる手段と、
前記本体天井へ設置してある気体排出筒と、
前記気体排出筒上部の気体排出穴を塞ぎ、下部から突き上げると外れる気体排出穴弁と、
前記内部移動容器が浮力により到達する前記本体の天井に設けた気体排出穴弁接続棒と、
前記内部移動容器の上部に設置してある内部移動容器気体排出穴と、を備え、
前記内部移動容器気体排出穴を内部から塞ぐ内部移動気体排出穴弁へ、前記気体排出筒と前記気体排出穴弁接続棒が前記内部移動容器気体排出穴弁を押して入り込み、前記気体排出穴弁接続棒が気体排出穴弁接続棒ストッパー板で抑えられることにより、前記気体排出穴弁が外れ、前記気体排出穴弁接続棒ストッパー板に到達するまでの間の距離分だけ、前記気体排出筒が前記内部移動容器内に入り込み、前記気体排出筒下部の細かい穴より前記内部移動容器内の気体を本体外部へ排出し、前記内部移動容器下部の細かい穴より前記本体内部の液体が気体の排出された分だけ前記内部移動容器内へ入り込み、
液体補充穴と突き上げられると外れる液体補充穴弁が設置されるとともに、前記本体天井外部に設置してある天井外部容器に液体が満たされている状態で、前記本体内部の液体が気体の排出された分だけ前記内部移動容器内へ入り込むのと同時に、前記内部移動容器上部に設置された液体補充穴弁突き上げ棒が前記液体補充穴弁を突き上げ、前記液体補充穴弁を外すと前記天井外部容器の前記液体が本体内部へ前記内部移動容器に入り込んだ液体の分だけ補充され、前記内部移動容器に液体がみたされることにより、浮力が失われて前記内部移動容器下部に仕込んである重りにかかる重力により落下して本体中層部に到達し、
横スライド式気体取り入れ穴弁を内部移動容器気体取り入れ筒が押し開けて、それが、スライド連動連鎖パーツ、縦横変換動力パーツ、伸びない材質のロープに伝わり、
前記液体排出穴弁を引き上げ、前記液体排出穴から液体が放出され、前記内部移動容器気体取り入れ筒が前記気体取り入れ穴を突き抜け、前記内部移動容器気体取り入れ筒から前記内部移動容器内へ外部の気体が入って来て、また浮力が発生するという、一連の動きを繰り返すことにより上下のピストン運動を行い、前記本体内部に同様の内部移動容器をもう一基設置して連動させることにより、気体と液体が入れ替わる間の上下のピストン運動がストップしようとする時に、もう一基が動くことにより運動がストップしないように補い合う力を発生する機関。
【請求項２】
本体が密閉状態で液体が満たされている時に、最下部に設置してある液体排出穴から液体が出る力と同時に発生する中層部に設置してある気体取り入れ穴から外部より気体が入り込み、中層部の穴より入り込む気体を本体内部に設置してある内部移動容器に留め、前記内部移動容器下部の細かい穴より気体が入った分だけ液体が本体内部へ押し出させる事で前記内部移動容器に発生する浮力により、前記内部移動容器を上昇させ、本体天井へ設置してある気体排出筒の下部から突き上げられることにより気体排出筒上部の気体排出穴を塞ぐ気体排出穴弁が外れる仕組みの気体排出穴弁接続棒へ前記内部移動容器を浮力により天井へ到達させ、前記内部移動容器の上部に設置してある内部移動容器気体排出穴と内部から塞ぐ内部移動容器気体排出穴弁へ前記気体排出筒と前記気体排出穴弁接続棒が前記内部移動容器気体排出穴弁を押して入り込み、前記気体排出穴弁接続棒が気体排出穴弁接続棒ストッパー板で抑えられることにより前記気体排出穴弁が外れ気体排出穴弁ストッパー板に到達するまでの間の距離分だけ、前記気体排出筒が前記内部移動容器内に入り込み、前記気体排出筒下部の細かい穴より前記内部移動容器内の気体を本体外部へ排出し前記内部移動容器下部の細かい穴より前記本体内部の液体が気体の排出された分だけ前記内部移動容器内へ入り込む、これと同時に本体天井外部に設置してある液体を補充する為の天井外部容器に液体が満たされている状態で液体補充穴と突き上げられると外れる液体補充穴弁が設置されることにより、前記内部移動容器上部に設置された液体補充穴弁突き上げ棒がこれを突き上げ、前記液体補充穴弁を外すと天井外部容器の液体が本体内部へ、前記内部移動容器に入り込んだ液体の分だけ補充され、前記内部移動容器に液体がみたされると、浮力が失われて前記内部移動容器に仕込んである重りにかかる重力により、落下して本体中層部に到達し、横スライド式気体取り入れ穴弁を内部移動容器気体取り入れ筒が押し開けて、それがスライド連動連鎖パーツ、縦横変換動力パーツ、伸びない材質のロープに伝わり、前記液体排出穴弁を引き上げ、前記液体排出穴から液体が放出され、前記内部移動容器気体取り入れ筒が前記気体取り入れ穴を突き抜け、前記内部移動容器気体取り入れ筒から前記内部移動容器内へ外部の気体が入って来て、また浮力が発生するという、一連の動きを繰り返すことにより上下のピストン運動を作る力と前記本体内部に同様の前記内部移動容器をもう一基設置して連動させることにより、気体と液体が入れ替わる間の上下のピストン運動がストップしようとする時に、もう一基が動くことにより運動がストップしないように補い合う事により、安定した上下のピストン運動を作り出し、それを回転力に伝え、発電の動力とする方法。
【発明の詳細な説明】
【技術分野】
【０００１】  本発明は、重力と浮力による上下運動の発電動力に関する。【０００２】  従来の発電動力は燃料を使った動力発電・水流を使った動力発電・太陽の光を使った発電・風力使った動力発電・波力使った動力発電・原子を使った動力発電などがある。【０００３】  以下、従来の発電動力について説明する。【０００４】  燃料を使った動力発電は、燃料費が掛かり排気ガス排出されるのが問題とされる。【０００５】  水流を使った動力発電は、雨量により放水される時間が一定しないことが問題とされる。【０００６】  太陽の光を使った発電は、天候により、太陽の照らされていない間の変電量が格段に低いことが問題とされる。【０００７】  風力使った動力発電は、基本的に風が吹いていない時、発電されないことが問題とされる。【０００８】  波力使った動力発電は、海上の波が発生していないと発電されないことが問題とされる。【０００９】  原子を使った発電は、人類が制御しきれず、もれた場合は、人体に多大な悪影響を及ぼす危険性があり、環境を破壊することが問題とされている。
【発明の開示】
【発明が解決しようとする課題】
【００１０】  以上に述べた従来の発電では、天候に左右されやすく、動力の安定しない発電装置や、人体と地球環境に悪影響を及ぼす発電装置であった。【００１１】  本発明は、このような問題点を解決した、安定したクリーンでエコロジーな動力発電を実現することを目的とするものである。
【課題を解決するための手段】
【００１２】            そして、本発明は上記の目的を達成するために今までにないまったく新しい構造の発電動力装置で、本体が密閉状態で液体が満たされている時に、最下部に設置してある液体排出穴から液体が出る力と同時に発生する中層部に設置してある気体取り入れ穴から外部より気体が入り込み、中層部の穴より入り込む気体を本体内部に設置してある内部移動容器に留め、内部移動容器下部の細かい穴より気体が入った分だけ液体が本体内部へ押し出させる事で内部移動容器に発生する浮力により、本体天井へ設置してある気体排出筒の下部から突き上げられることにより気体排出筒上部の気体排出穴を塞ぐ気体排出穴弁が外れる仕組みの気体排出穴弁接続棒へ内部移動容器が浮力により天井へ到達、内部移動容器の上部に設置してある内部移動容器気体排出穴と内部から塞ぐ内部移動容器気体排出穴弁へ気体排出筒と気体排出穴弁接続棒が内部移動容器気体排出穴弁を押して入り込み、気体排出穴弁接続棒が気体排出穴弁接続棒ストッパー板で抑えられることにより気体排出穴弁が外れ気体排出穴弁ストッパーに到達するまでの間の距離分だけ、気体排出筒が内部移動容器内に入り込み、気体排出筒下部の細かい穴より内部移動容器内の気体を本体外部へ排出し内部移動容器下部の細かい穴より本体内部の液体が気体の排出された分だけ内部移動容器内へ入り込む、これと同時に本体天井外部に設置してある液体を補充する為の天井外部容器に液体が満たされている状態で液体補充穴と突き上げられると外れる液体補充穴弁が設置されることにより、内部移動容器上部に設置された液体補充穴弁突き上げ棒がこれを突き上げ、液体補充穴弁を外すと天井外部容器の液体が本体内部へ、内部移動容器に入り込んだ液体の分だけ補充され、内部移動容器に液体がみたされると、浮力が失われて内部移動容器に仕込んである重りの力で重力が発生、落下して本体中層部に到達、横スライド式気体取り入れ穴弁を内部移動容器気体取り入れ筒が押し開けて、それがスライド連動連鎖パーツ、縦横変換動力パーツ、伸びない材質のロープに伝わり、液体排出穴弁を引き上げ、液体排出穴から液体が放出、内部移動容器気体取り入れ筒が気体取り入れ穴を突き抜け、内部移動容器気体取り入れ筒から内部移動容器内へ外部の気体が入って来て、また浮力が発生する、一連の動きを繰り返すことにより上下のピストン運動を作る力と本体内部に同様の内部移動容器をもう一基設置して連動させることにより、気体と液体が入れ替わる間の上下のピストン運動がストップしてしまう時に、もう一基が動くことにより運動がストップしないように補い合う事により、安定した上下のピストン運動を作り出し、それを２箇所の回転力に伝え、１箇所の回転力を下部より流出した液体を上部の天井外部容器へ汲み上げる動力に伝えて、もう１箇所の回転力を発電の動力とする。
【発明の効果】
【００１３】  上述したように本発明の発電動力装置は、燃料の消費も無く、環境にもやさしく、天候にも影響されなく、重力があり液体と気体の量が維持できれば、どのような場所にも対応可能で、安定した動力を提供できます。
【発明の実施するための最良の形態】
【００１４】  以下、本発明の実施形態を図１と図２に基づいて説明する。
【００１５】  図においては、１は本体で完全密閉されていて５，８，１１は液体補充穴弁で自然に下がる程度の重さが必要で、隙間が開いてはならない。３１は弁液体排出穴弁でめくり上がる材質のものがのぞましく、２４，３２は弁横スライド式外部気体取り入れ穴弁で横にスライドしやすい材質のものか、あるいはスライドする構造にしておく。
【００１６】  ２５，２６は気体取り入れ穴で２１，２３の内部移動容器気体取り入れ筒がぎりぎり入る径の大きさがのぞましく、１４，１９は内部移動容器気体排出穴で９の気体排出筒がぎりぎり入る径の大きさがのぞましい。
【００１７】  １５，１８は内部移動容器気体排出穴弁で、９の気体排出筒が１４，１９の内部移動容器気体排出穴から出たときに、閉まる構造でなければならない。
【００１８】  １６，２０は内部移動容器気体排出穴弁ストッパー板で、１０の気体排出穴弁接続棒を押し上げるだけの強度があること。７の気体排出穴弁ストッパーと９の気体排出筒上部穴の距離、１０の気体排出穴弁接続棒が９の気体排出筒下部穴から出ている距離、そして１４，１９の内部移動容器気体排出穴と１６，２０の内部移動容器気体排出穴弁ストッパー板の距離、この３箇所の距離が同一の長さであることがのぞましい。
【００１９】  ３，３５の内部移動容器内の気体が入ったときの浮力と２２，３４内部移動容器下部液体出入り穴重り仕込みの重りが同じ力であること。
【００２０】  ３５，３６，３７，３８，３９，４０の液体共有穴付き内部移動容器誘導壁に縦のレールを内側に付けると３，３４の内部移動容器がよりスムーズに移動できる。
【００２１】  １２の液体共有穴付き内部移動容器連動ストッパー仕込み誘導壁は、両面にレールを付けると、３，３４の内部移動容器がよりスムーズに移動できる。
【００２２】  １２の液体共有穴付き内部移動容器連動ストッパー仕込み誘導壁に設置してある４１の内部移動容器連動ストッパー下部が重力の発生している３４の内部移動容器を９の気体排出筒から外れた地点で待機させて、ストッパー上部に３の内部移動容器が達すると、ストッパー上部が液体共有穴付き内部移動容器連動ストッパー仕込み誘導壁側に押され、その連動でストッパー下部も液体共有穴付き内部移動容器連動ストッパー仕込み誘導壁側に引っ込み、３４の内部移動容器の待機が開放されて落下します。
【００２３】  １２の液体共有穴付き内部移動容器連動ストッパー仕込み誘導壁に設置してある４２の内部移動容器連動ストッパー上部が重力の発生している３の内部移動容器を９の気体排出筒から外れた地点で待機させて、ストッパー下部に３４の内部移動容器が達すると、ストッパー下部が液体共有穴付き内部移動容器連動ストッパー仕込み誘導壁側に押され、その連動でストッパー上部も液体共有穴付き内部移動容器連動ストッパー仕込み誘導壁側に引っ込み、３の内部移動容器の待機が開放されて落下します。
【００２４】  １２の液体共有穴付き内部移動容器連動ストッパー仕込み誘導壁に設置してある４３の内部移動容器連動ストッパー上部が浮力の発生している３４の内部移動容器を２４の横スライド式外部気体取り入れ穴弁から外れた地点で待機させて、ストッパー下部に３の内部移動容器が達すると、ストッパー下部が液体共有穴付き内部移動容器連動ストッパー仕込み誘導壁側に押され、その連動でストッパー上部も液体共有穴付き内部移動容器連動ストッパー仕込み誘導壁側に引っ込み、３４の内部移動容器の待機が開放されて浮上します。
【００２５】  １２の液体共有穴付き内部移動容器連動ストッパー仕込み誘導壁に設置してある４４の内部移動容器連動ストッパー下部が浮力の発生している３の内部移動容器を３２の横スライド式外部気体取り入れ穴弁から外れた地点で待機させて、ストッパー上部に３４の内部移動容器が達すると、ストッパー上部が液体共有穴付き内部移動容器連動ストッパー仕込み誘導壁側に押され、その連動でストッパー下部も液体共有穴付き内部移動容器連動ストッパー仕込み誘導壁側に引っ込み、３の内部移動容器の待機が開放されて浮上します。
【００２６】  １２の液体共有穴付き内部移動容器連動ストッパー仕込み誘導壁に設置してある４１と４２と４３と４４の内部移動容器連動ストッパーは、なにも触れていない時は、液体共有穴付き内部移動容器連動ストッパー仕込み誘導壁からはなれるように仕込む。
【図面の簡単な説明】
【００２２】
【図１】本発明の実施形態を示す発明動力装置の全部
【図２】同本体の図１におけるＡ−Ａ線断面図
【図３】同本体の図１におけるＢ−Ｂ線断面図
【符号の説明】
【００２３】１  本体、２  天井外部容器、３と３４  内部移動容器、４・６  液体補充穴、５と１１  液体補充穴弁、７  気体排出穴弁ストッパー、８  気体排出穴弁、９  気体排出筒、１０  気体排出穴弁接続棒、１２  液体共有穴付き内部移動容器連動ストッパー仕込み誘導壁、１３と１７  液体補充穴弁突き上げ棒、１４と１９  内部移動容器気体排出穴、１５と１８  内部移動容器気体排出穴弁、１６と２０  内部移動容器気体排出穴弁ストッパー板、２１と２３  内部移動容器気体取り入れ筒、２２と３３  内部移動容器下部液体出入り穴重り仕込み、２４と３２  横スライド式外部気体取り入れ穴弁、２５と２６  気体取り入れ穴、２７  スライド連動連鎖パーツ、２８  縦横変換動力パーツ、２９  伸びない材質のロープ、３０  液体排出穴、３１  液体排出穴弁、３５と３６と３７と３８と３９と４０  液体共有穴付き内部移動容器誘導壁、４１と４２と４３と４４  内部移動容器連動ストッパー
【図１】
0005557133.tif 000002
【図２】
0005557133.tif 000003
【図３】
0005557133.tif 000004